(57)【要約】【課題】繰り返しパターンの構造性複屈折を利用した表面検査において、偏光の乱れを十分に補正することが可能な表面検査装置を提供する。【解決手段】本発明に係る表面検査装置１は、ウェハ１０を照明するための直線偏光の発散光束を射出する照明部３１〜３３と、照明部３１〜３３から射出された発散光束を反射させてウェハ１０へ導く凹面反射鏡３９と、照明部３１〜３３により照明されたウェハ１０からの光束のうち直線偏光と偏光方向が略直交する直線偏光成分を受光する受光部４０と、凹面反射鏡３９に起因して発生する偏光の乱れを補正する偏光補正部材３５とを備え、偏光補正部材３５は、照明部３１〜３３と凹面反射鏡３９との間の光軸に対し傾斜した状態で互いに平行に配置された二枚の平行平面板３６，３７からなり、当該平行平面板３６，３７は、使用波長に対する屈折率が１．６以下の材料を用いて形成されている。【選択図】図１
2009097988.tif 000002
【特許請求の範囲】
【請求項１】
被検基板を照明するための直線偏光の発散光束を射出する照明部と、
前記照明部から射出された前記発散光束を反射させて前記被検基板へ導く光学部材と、
前記照明部により照明された前記被検基板からの光束のうち前記直線偏光と偏光方向が略直交する直線偏光成分を受光する受光部と、
前記照明部と前記光学部材との間の光路中に配設され、前記光学部材に起因して発生する偏光の乱れを補正する偏光補正部材とを備え、
前記受光部で受光した光に基づいて前記被検基板の表面検査を行うように構成されており、
前記偏光補正部材は、前記照明部と前記光学部材との間の光軸に対して傾斜するように配置された複数の平行平面板からなり、
前記平行平面板は、使用波長に対する屈折率が１．６以下の材料を用いて形成されることを特徴とする表面検査装置。
【請求項２】
被検基板を照明するための直線偏光の光束を射出する照明部と、
前記照明部により照明された前記被検基板からの光束のうち前記直線偏光と偏光方向が略直交する直線偏光成分を受光する受光部と、
前記被検基板からの光束を反射させて前記受光部へ収束させる光学部材と、
前記光学部材と前記受光部との間の光路中に配設され、前記光学部材に起因して発生する偏光の乱れを補正する偏光補正部材とを備え、
前記受光部で受光した光に基づいて前記被検基板の表面検査を行うように構成されており、
前記偏光補正部材は、前記光学部材と前記受光部との間の光軸に対して傾斜するように配置された複数の平行平面板からなり、
前記平行平面板は、使用波長に対する屈折率が１．６以下の材料を用いて形成されることを特徴とする表面検査装置。
【請求項３】
被検基板を照明するための直線偏光の発散光束を射出する照明部と、
前記照明部から射出された前記発散光束を反射させて前記被検基板へ導く第１の光学部材と、
前記照明部により照明された前記被検基板からの光束のうち前記直線偏光と偏光方向が略直交する直線偏光成分を受光する受光部と、
前記被検基板からの光束を反射させて前記受光部へ収束させる第２の光学部材と、
前記照明部と前記第１の光学部材との間、または前記第２の光学部材と前記受光部との間の光路中に配設され、前記第１の光学部材または前記第２の光学部材に起因して発生する偏光の乱れを補正する偏光補正部材とを備え、
前記受光部で受光した光に基づいて前記被検基板の表面検査を行うように構成されており、
前記偏光補正部材は、前記照明部と前記第１の光学部材との間、または前記第２の光学部材と前記受光部との間の光軸に対して傾斜するように配置された複数の平行平面板からなり、
前記平行平面板は、使用波長に対する屈折率が１．６以下の材料を用いて形成されることを特徴とする表面検査装置。
【請求項４】
前記照明部が射出する光束の前記使用波長が３５０ｎｍ以下であり、
前記複数の平行平面板は、可干渉距離以上の距離だけ離れて配置されてなることを特徴とする請求項１から請求項３のうちいずれか一項に記載の表面検査装置。
【請求項５】
被検基板を照明するための直線偏光の発散光束を射出する照明部と、
前記照明部から射出された前記発散光束を反射させて前記被検基板へ導く光学部材と、
前記照明部により照明された前記被検基板からの光束のうち前記直線偏光と偏光方向が略直交する直線偏光成分を受光する受光部と、
前記照明部と前記光学部材との間の光路中に配設され、前記光学部材に起因して発生する前記直線偏光の乱れを補正する偏光補正部材とを備え、
前記受光部で受光した光に基づいて前記被検基板の表面検査を行うように構成されており、
前記照明部が射出する前記発散光束の波長が３５０ｎｍ以下であり、
前記偏光補正部材は、前記照明部と前記光学部材との間の光軸に対し傾斜した状態で、可干渉距離以上の距離だけ離れて配置された複数の平行平面板からなることを特徴とする表面検査装置。
【請求項６】
被検基板を照明するための直線偏光の光束を射出する照明部と、
前記照明部により照明された前記被検基板からの光束のうち前記直線偏光と偏光方向が略直交する直線偏光成分を受光する受光部と、
前記被検基板からの光束を反射させて前記受光部へ収束させる光学部材と、
前記光学部材と前記受光部との間の光路中に配設され、前記光学部材に起因して発生する偏光の乱れを補正する偏光補正部材とを備え、
前記受光部で受光した光に基づいて前記被検基板の表面検査を行うように構成されており、
前記照明部が射出する前記光束の波長が３５０ｎｍ以下であり、
前記偏光補正部材は、前記光学部材と前記受光部との間の光軸に対し傾斜した状態で、可干渉距離以上の距離だけ離れて配置された複数の平行平面板からなることを特徴とする表面検査装置。
【請求項７】
被検基板を照明するための直線偏光の発散光束を射出する照明部と、
前記照明部から射出された前記発散光束を反射させて前記被検基板へ導く第１の光学部材と、
前記照明部により照明された前記被検基板からの光束のうち前記直線偏光と偏光方向が略直交する直線偏光成分を受光する受光部と、
前記被検基板からの光束を反射させて前記受光部へ収束させる第２の光学部材と、
前記照明部と前記第１の光学部材との間、または前記第２の光学部材と前記受光部との間の光路中に配設され、前記第１の光学部材または前記第２の光学部材に起因して発生する偏光の乱れを補正する偏光補正部材とを備え、
前記受光部で受光した光に基づいて前記被検基板の表面検査を行うように構成されており、
前記照明部が射出する前記発散光束の波長が３５０ｎｍ以下であり、
前記偏光補正部材は、前記照明部と前記第１の光学部材との間、または前記第２の光学部材と前記受光部との間の光軸に対し傾斜した状態で、可干渉距離以上の距離だけ離れて配置された複数の平行平面板からなることを特徴とする表面検査装置。
【発明の詳細な説明】
【技術分野】
【０００１】
本発明は、半導体素子等の製造過程における、基板表面のムラ、傷等の欠陥を検出する表面検査装置に関する。
【背景技術】
【０００２】
半導体素子等の製造過程における、ウェハの表面に形成された繰り返しパターンの欠陥を検査する検査装置として、従来から、回折を利用したものが知られている（例えば、特許文献１を参照）。回折を利用した装置では、パターンのピッチによりステージのチルト角の調整が必要になる。また、より微細なパターンへの対応のためには照明光の波長の短波長化が必要である。しかしながら、繰り返しピッチの微細化（すなわち、配線パターンなどのライン・アンド・スペースの微細化）に対応するために、照明光の短波長化を行おうとすると、光源の種類が限定され、高価で大掛かりな光源となってしまう。また、照明系や受光系を構成する光学素子の材料も高価なものに限定され、好ましくない。
【０００３】
このため、繰り返しパターンの構造性複屈折を利用した検査が提案されている。これは、繰り返しパターンへ直線偏光を照射し、その偏光成分と直交する成分の光を受光して検査を行うものである（例えば、特許文献２を参照）。この方式の利点は、回折光を受光する必要がないため、ステージのチルト角を調整する必要がないことである。また、回折光が出ないような微細な繰り返しパターンの検査が可能となる利点があり、照明光を短波長化することなく検査可能となる。ただし、繰り返しパターンによる偏光状態の変化は微少である。このため、直線偏光の光束を被検基板へ導く光学系により偏光が乱れる影響が無視できない。このような問題を解決するため、偏光の乱れを補正する偏光補正部材を光路中に配設することも提案されている。
【０００４】
前述したように、繰り返しパターンの構造性複屈折を利用することで、回折光が出ないような微細な繰り返しパターンの検査が照明光を短波長化することなく可能になるが、波長選択の自由度は大きい方が望ましい。また、プロセスによっては短波長で検査した方が有利な場合がある。例えば、構造性複屈折による偏光状態の変化は、光の波長にほぼ反比例するため短波長域の方が検査感度もよい。また、クロスニコル系からの透過光量も多いため、Ｓ／Ｎ比の観点から短波長で検査する方が望ましい場合もある。
【特許文献１】特開平１０−２３２１２２号公報
【特許文献２】特開２００６−３４３１０２号公報
【発明の開示】
【発明が解決しようとする課題】
【０００５】
しかしながら、短波長の光に対しても十分に高い透過率を有する偏光補正部材は限られており、偏光の乱れを十分に補正することができないという問題があった。
【０００６】
本発明は、このような問題に鑑みてなされたものであり、繰り返しパターンの構造性複屈折を利用した表面検査において、偏光の乱れを十分に補正することが可能な表面検査装置を提供することを目的とする。
【課題を解決するための手段】
【０００７】
このような目的達成のため、第１の発明に係る表面検査装置は、被検基板を照明するための直線偏光の発散光束を射出する照明部と、前記照明部から射出された前記発散光束を反射させて前記被検基板へ導く光学部材と、前記照明部により照明された前記被検基板からの光束のうち前記直線偏光と偏光方向が略直交する直線偏光成分を受光する受光部と、前記照明部と前記光学部材との間の光路中に配設され、前記光学部材に起因して発生する偏光の乱れを補正する偏光補正部材とを備え、前記受光部で受光した光に基づいて前記被検基板の表面検査を行うように構成されており、前記偏光補正部材は、前記照明部と前記光学部材との間の光軸に対して傾斜するように配置された複数の平行平面板からなり、前記平行平面板は、使用波長に対する屈折率が１．６以下の材料を用いて形成される。
【０００８】
また、第２の発明に係る表面検査装置は、被検基板を照明するための直線偏光の光束を射出する照明部と、前記照明部により照明された前記被検基板からの光束のうち前記直線偏光と偏光方向が略直交する直線偏光成分を受光する受光部と、前記被検基板からの光束を反射させて前記受光部へ収束させる光学部材と、前記光学部材と前記受光部との間の光路中に配設され、前記光学部材に起因して発生する偏光の乱れを補正する偏光補正部材とを備え、前記受光部で受光した光に基づいて前記被検基板の表面検査を行うように構成されており、前記偏光補正部材は、前記光学部材と前記受光部との間の光軸に対して傾斜するように配置された複数の平行平面板からなり、前記平行平面板は、使用波長に対する屈折率が１．６以下の材料を用いて形成される。
【０００９】
また、第３の発明に係る表面検査装置は、被検基板を照明するための直線偏光の発散光束を射出する照明部と、前記照明部から射出された前記発散光束を反射させて前記被検基板へ導く第１の光学部材と、前記照明部により照明された前記被検基板からの光束のうち前記直線偏光と偏光方向が略直交する直線偏光成分を受光する受光部と、前記被検基板からの光束を反射させて前記受光部へ収束させる第２の光学部材と、前記照明部と前記第１の光学部材との間、または前記第２の光学部材と前記受光部との間の光路中に配設され、前記第１の光学部材または前記第２の光学部材に起因して発生する偏光の乱れを補正する偏光補正部材とを備え、前記受光部で受光した光に基づいて前記被検基板の表面検査を行うように構成されており、前記偏光補正部材は、前記照明部と前記第１の光学部材との間、または前記第２の光学部材と前記受光部との間の光軸に対して傾斜するように配置された複数の平行平面板からなり、前記平行平面板は、使用波長に対する屈折率が１．６以下の材料を用いて形成される。
【００１０】
なお、上述の表面検査装置において、前記照明部が射出する光束の前記使用波長が３５０ｎｍ以下であり、前記複数の平行平面板は、可干渉距離以上の距離だけ離れて配置されてなることが好ましい。
【００１１】
また、第４の発明に係る表面検査装置は、被検基板を照明するための直線偏光の発散光束を射出する照明部と、前記照明部から射出された前記発散光束を反射させて前記被検基板へ導く光学部材と、前記照明部により照明された前記被検基板からの光束のうち前記直線偏光と偏光方向が略直交する直線偏光成分を受光する受光部と、前記照明部と前記光学部材との間の光路中に配設され、前記光学部材に起因して発生する前記直線偏光の乱れを補正する偏光補正部材とを備え、前記受光部で受光した光に基づいて前記被検基板の表面検査を行うように構成されており、前記照明部が射出する前記発散光束の波長が３５０ｎｍ以下であり、前記偏光補正部材は、前記照明部と前記光学部材との間の光軸に対し傾斜した状態で、可干渉距離以上の距離だけ離れて配置された複数の平行平面板からなる。
【００１２】
また、第５の発明に係る表面検査装置は、被検基板を照明するための直線偏光の光束を射出する照明部と、前記照明部により照明された前記被検基板からの光束のうち前記直線偏光と偏光方向が略直交する直線偏光成分を受光する受光部と、前記被検基板からの光束を反射させて前記受光部へ収束させる光学部材と、前記光学部材と前記受光部との間の光路中に配設され、前記光学部材に起因して発生する偏光の乱れを補正する偏光補正部材とを備え、前記受光部で受光した光に基づいて前記被検基板の表面検査を行うように構成されており、前記照明部が射出する前記光束の波長が３５０ｎｍ以下であり、前記偏光補正部材は、前記光学部材と前記受光部との間の光軸に対し傾斜した状態で、可干渉距離以上の距離だけ離れて配置された複数の平行平面板からなる。
【００１３】
また、第６の発明に係る表面検査装置は、被検基板を照明するための直線偏光の発散光束を射出する照明部と、前記照明部から射出された前記発散光束を反射させて前記被検基板へ導く第１の光学部材と、前記照明部により照明された前記被検基板からの光束のうち前記直線偏光と偏光方向が略直交する直線偏光成分を受光する受光部と、前記被検基板からの光束を反射させて前記受光部へ収束させる第２の光学部材と、前記照明部と前記第１の光学部材との間、または前記第２の光学部材と前記受光部との間の光路中に配設され、前記第１の光学部材または前記第２の光学部材に起因して発生する偏光の乱れを補正する偏光補正部材とを備え、前記受光部で受光した光に基づいて前記被検基板の表面検査を行うように構成されており、前記照明部が射出する前記発散光束の波長が３５０ｎｍ以下であり、前記偏光補正部材は、前記照明部と前記第１の光学部材との間、または前記第２の光学部材と前記受光部との間の光軸に対し傾斜した状態で、可干渉距離以上の距離だけ離れて配置された複数の平行平面板からなる。
【発明の効果】
【００１４】
本発明によれば、繰り返しパターンの構造性複屈折を利用した表面検査において、偏光の乱れを十分に補正することが可能になる。
【発明を実施するための最良の形態】
【００１５】
以下、図面を参照して本発明の好ましい実施形態について説明する。本実施形態の表面検査装置１は、図１に示すように、被検基板である半導体ウェハ１０（以下、ウェハ１０と称する）を支持するステージ２０と、照明系３０と、受光系４０とを備えて構成されている。また、表面検査装置１は、受光系４０で撮像された画像の画像処理を行う画像処理部５０と、受光系４０で撮像された画像や画像処理部５０による画像処理結果を表示するモニタ５５とを備えている。表面検査装置１は、半導体回路素子の製造工程において、ウェハ１０の表面の検査を自動的に行う装置である。ウェハ１０は、最上層のレジスト膜への露光・現像後、不図示の搬送系により、不図示のウェハカセットまたは現像装置から運ばれ、ステージ２０に吸着保持される。
【００１６】
ウェハ１０の表面には、図２に示すように、複数のチップ領域１１がＸＹ方向に配列され、各チップ領域の中に所定の繰り返しパターン１２が形成されている。繰り返しパターン１２は、図３に示すように、複数のライン部２Ａがその短手方向（Ｘ方向）に沿って一定のピッチＰで配列されたレジストパターン（例えば、配線パターン）である。隣り合うライン部２Ａ同士の間は、スペース部２Ｂである。なお、ライン部２Ａの配列方向（Ｘ方向）を「繰り返しパターン１２の繰り返し方向」と称する。
【００１７】
ここで、繰り返しパターン１２におけるライン部２Ａの線幅ＤAの設計値をピッチＰの１／２とする。設計値の通りに繰り返しパターン１２が形成された場合、ライン部２Ａの線幅ＤAとスペース部２Ｂの線幅ＤBは等しくなり、ライン部２Ａとスペース部２Ｂとの体積比は略１：１になる。これに対して、繰り返しパターン１２を形成する際の露光フォーカスが適正値から外れると、ピッチＰは変わらないが、ライン部２Ａの線幅ＤAが設計値と異なってしまうとともに、スペース部２Ｂの線幅ＤBとも異なってしまい、ライン部２Ａとスペース部２Ｂとの体積比が略１：１から外れる。
【００１８】
本実施形態の表面検査装置１は、上記のような繰り返しパターン１２におけるライン部２Ａとスペース部２Ｂとの体積比の変化を利用して、繰り返しパターン１２の欠陥検査を行うものである。説明を簡単にするため、理想的な体積比（設計値）を１：１とする。体積比の変化は、露光フォーカスの適正状態からの外れに起因し、ウェハ１０のショット領域ごとに現れる。なお、体積比を断面形状の面積比と言い換えることもできる。
【００１９】
また、本実施形態においては、繰り返しパターン１２に対する照明光（後述）の波長と比較して繰り返しパターン１２のピッチＰが十分小さいものとする。このため、繰り返しパターン１２から回折光が発生することはなく、繰り返しパターン１２の欠陥検査を回折光により行うことはできない。本実施形態における欠陥検査の原理は、以降、表面検査装置の構成（図１）とともに順に説明する。
【００２０】
表面検査装置１のステージ２０は、ウェハ１０を上面で支持して、例えば真空吸着により固定保持する。さらに、ステージ２０は、上面の中心における法線Ａ１を中心軸として回転可能である。この回転機構によって、ウェハ１０における繰り返しパターン１２の繰り返し方向（図２および図３におけるＸ方向）を、ウェハ１０の表面内で回転させることができる。なお、ステージ２０は、上面が水平面であり、ウェハ１０を常に水平な状態に保つことができる。
【００２１】
本実施形態においては、ウェハ１０における繰り返しパターン１２の繰り返し方向（図２および図３におけるＸ方向）を、後述の照明光の入射面Ａ２（図４を参照）に対して、４５度の角度に傾けて設定する。なお、角度は４５度に限らず、２２．５度や６７．５度など任意角度方向に設定可能である。
【００２２】
照明系３０は、光源３１と、ライトガイドファイバ３２と、第１の偏光板３３と、第１の偏光補正部材３５と、第１の凹面反射鏡３９とを有して構成された偏心光学系であり、ステージ２０上のウェハ１０の繰り返しパターン１２を直線偏光Ｌ１により照明する。この直線偏光Ｌ１が、繰り返しパターン１２に対する照明光である。直線偏光Ｌ１は、ウェハ１０の表面全体に照射される。
【００２３】
直線偏光Ｌ１の進行方向（ウェハ１０表面上の任意の点に到達する直線偏光Ｌ１の主光線の方向）は、ステージ２０の中心を通る法線Ａ１に対して所定の角度θだけ傾けられている。ちなみに、直線偏光Ｌ１の進行方向を含み、ステージ２０の法線Ａ１に平行な平面が、直線偏光Ｌ１の入射面である。図４の入射面Ａ２は、ウェハ１０の中心における入射面である。
【００２４】
また、本実施形態では、直線偏光Ｌ１がｐ偏光である。すなわち、図５（ａ）に示すように、直線偏光Ｌ１の進行方向と電気ベクトルの振動方向とを含む平面（直線偏光Ｌ１の振動面）が、直線偏光Ｌ１の入射面Ａ２内に含まれる。直線偏光Ｌ１の振動面は、第１の偏光板３３の透過軸により規定される。
【００２５】
照明系３０の光源３１は、水銀ランプ等の放電光源である。なお、図示しない波長選択フィルタによって、光源３１から射出される光のうち短波長（例えば３１３ｎｍ）の光（輝線スペクトル）を選択的にライトガイドファイバ３２へ透過させる。ライトガイドファイバ３２は、光源３１からの光を伝送する。第１の偏光板３３は、ライトガイドファイバ３２の射出端近傍に配置され、その透過軸が所定の方位に設定されて、ライトガイドファイバ３２から射出された発散光束を透過軸に応じた直線偏光の発散光束にする。第１の凹面反射鏡３９は、例えばアルミ等の金属を用いて反射面が形成され、第１の凹面反射鏡３９で反射する第１の偏光板３３からの発散光束を（詳細は後述する第１の偏光補正部材３５を介し）平行光束にして、被検基板であるウェハ１０へ照射する。すなわち照明系３０は、ウェハ１０側に対してテレセントリックな光学系である。
【００２６】
上記の照明系３０において、光源３１からの光は、ライトガイドファイバ３２、第１の偏光板３３、第１の偏光補正部材３５、および第１の凹面反射鏡３９を介してｐ偏光の直線偏光Ｌ１となり、ウェハ１０の表面全体に入射する。ウェハ１０の各点における直線偏光Ｌ１の入射角度は、平行光束のため互いに同じであり、光軸と法線Ａ１とのなす角度θに相当する。
【００２７】
本実施形態では、ウェハ１０に入射する直線偏光Ｌ１がｐ偏光であるため、図４に示すように、繰り返しパターン１２の繰り返し方向（Ｘ方向）が直線偏光Ｌ１の入射面Ａ２（ウェハ１０の表面における直線偏光Ｌ１の進行方向）に対して４５度の角度に設定された場合、ウェハ１０の表面における直線偏光Ｌ１の振動面の方向（図５におけるＶ方向）と繰り返しパターン１２の繰り返し方向（Ｘ方向）とのなす角度も、４５度に設定される。
【００２８】
言い換えると、直線偏光Ｌ１は、ウェハ１０の表面における直線偏光Ｌ１の振動面の方向（図６におけるＶ方向）が繰り返しパターン１２の繰り返し方向（Ｘ方向）に対して４５度傾いた状態で、繰り返しパターン１２を斜めに横切るようにして繰り返しパターン１２に入射する。
【００２９】
このような直線偏光Ｌ１と繰り返しパターン１２との角度状態は、ウェハ１０の表面全体において均一である。なお、４５度を１３５度，２２５度，３１５度のいずれかに言い換えても、直線偏光Ｌ１と繰り返しパターン１２との角度状態は同じである。また、図６の振動面の方向（Ｖ方向）と繰り返し方向（Ｘ方向）とのなす角度を４５度に設定するのは、繰り返しパターン１２の欠陥検査の感度を最も高くするためである。
【００３０】
そして、上記の直線偏光Ｌ１を用いて繰り返しパターン１２を照明すると、繰り返しパターン１２から正反射方向に楕円偏光Ｌ２が発生する（図５（ｂ）を参照）。この場合、楕円偏光Ｌ２の進行方向が正反射方向に一致する。正反射方向とは、直線偏光Ｌ１の入射面Ａ２内に含まれ、ステージ２０の法線Ａ１に対して角度θ（直線偏光Ｌ１の入射角度θに等しい角度）だけ傾いた方向である。なお、上述の通り、繰り返しパターン１２のピッチＰが照明波長と比較して十分短いため、繰り返しパターン１２から回折光が発生することはない。
【００３１】
ここで、直線偏光Ｌ１が繰り返しパターン１２での反射により楕円化し、繰り返しパターン１２から楕円偏光Ｌ２が発生する理由について簡単に説明する。直線偏光Ｌ１は、繰り返しパターン１２に入射すると、振動面の方向（図６のＶ方向）が、図７に示す２つの偏光成分ＶX，ＶYに分かれる。一方の偏光成分ＶXは、繰り返し方向（Ｘ方向）に平行な成分である。他方の偏光成分ＶYは、繰り返し方向（Ｘ方向）に垂直な成分である。そして、２つの偏光成分ＶX，ＶYは、それぞれ独立に、異なる振幅変化と位相変化とを受ける。振幅変化と位相変化が異なるのは、繰り返しパターン１２の異方性に起因して複素屈折率がＸ方向とＹ方向で異なるからであり、構造性複屈折（form birefringence）と呼ばれる。その結果、２つの偏光成分ＶX，ＶYの反射光は互いに振幅と位相が異なり、これらの合成による反射光は楕円偏光Ｌ２となる（図５（ｂ）を参照）。
【００３２】
また、繰り返しパターン１２の異方性に起因する楕円化の程度は、図５（ｂ）で示す楕円偏光Ｌ２のうち、図５（ａ）で示す直線偏光Ｌ１の振動面に垂直な偏光成分Ｌ３（図５（ｃ）を参照）と考えることができる。そして、この偏光成分Ｌ３の大きさは、繰り返しパターン１２の材質および形状と、図６の振動面の方向（Ｖ方向）と繰り返し方向（Ｘ方向）とのなす角度に依存する。このため、Ｖ方向とＸ方向とのなす角度を一定の値（本実施形態では４５度）に保つ場合、繰り返しパターン１２の材質が一定であっても、繰り返しパターン１２の形状が変化すると、楕円化の程度（偏光成分Ｌ３の大きさ）が変化することになる。
【００３３】
繰り返しパターン１２の形状と偏光成分Ｌ３の大きさとの関係について説明する。図３に示すように、繰り返しパターン１２は、ライン部２Ａとスペース部２ＢとをＸ方向に沿って交互に配列した凹凸形状を有し、適正な露光フォーカスで設計値通りに形成されると、ライン部２Ａの線幅ＤAとスペース部２Ｂの線幅ＤBが等しくなるが、露光フォーカスが適正から外れると、ライン部２Ａとスペース部２Ｂとの体積比が略１：１から外れる。このとき、偏光成分Ｌ３の大きさは理想的な場合と比較して変化する。偏光成分Ｌ３の大きさの変化の一例を図示すると、図８のようになる。図８の横軸は、ライン部２Ａの線幅ＤAである。なお、図８の変化のしかたは、パターンと波長の関係によって異なり、必ずしも体積比が１：１のときに最大になるとは限らない。
【００３４】
このように、直線偏光Ｌ１を用いて、図６の振動面の方向（Ｖ方向）が繰り返しパターン１２の繰り返し方向（Ｘ方向）に対して４５度だけ傾いた状態で、繰り返しパターン１２を照明すると、正反射方向に反射して生じた楕円偏光Ｌ２は、その楕円化の程度（図５（ｃ）における偏光成分Ｌ３の大きさ）が、繰り返しパターン１２の形状（ライン部２Ａとスペース部２Ｂとの体積比）に応じたものとなる。楕円偏光Ｌ２の進行方向は、直線偏光Ｌ１の入射面Ａ２内に含まれ、ステージ２０の法線Ａ１に対して角度θだけ傾いている。
【００３５】
さて、受光系４０は、図１に示すように、第２の凹面反射鏡４１と、第２の偏光補正部材４２と、第２の偏光板４５と、結像レンズ４６と、撮像素子４７とを有して構成された偏心光学系であり、その光軸がステージ２０の中心を通る法線Ａ１に対して角度θだけ傾くように配設される。従って、繰り返しパターン１２からの楕円偏光Ｌ２は、受光系４０の光軸に沿って進行することになる。第２の凹面反射鏡４１は、第１の凹面反射鏡３９と同様の反射鏡であり、楕円偏光Ｌ２を反射して結像レンズ４６の方へ導き、結像レンズ４６と協働して撮像素子４７の撮像面に集光する（すなわち、繰り返しパターン１２で反射した楕円偏光Ｌ２の平行光束を撮像面に収束させる）。
【００３６】
ただし、第２の凹面反射鏡４１と結像レンズ４６との間には、第２の偏光板４５が配設されている。第２の偏光板４５の透過軸の方位は、上述した照明系３０の第１の偏光板３３の透過軸に対して直交するように設定されている（クロスニコルの状態）。したがって、第２の偏光板４５により、楕円偏光Ｌ２の図５（ｃ）の偏光成分Ｌ３に相当する直線偏光成分Ｌ４のみを抽出して、撮像素子４７に導くことができる。その結果、撮像素子４７の撮像面には、直線偏光成分Ｌ４によるウェハ１０の反射像が形成される。
【００３７】
撮像素子４７は、例えばＣＣＤ撮像素子等であり、撮像面に形成されたウェハ１０の反射像を光電変換して、画像信号を画像処理部５０に出力する。ウェハ１０の反射像の明暗は、直線偏光成分Ｌ４の光強度（図５（ｃ）の偏光成分Ｌ３の大きさ）に略比例し、繰り返しパターン１２の形状（ライン部２Ａとスペース部２Ｂとの体積比）に応じて変化する（図８を参照）。ウェハ１０の反射像が最も明るくなるのは、繰り返しパターン１２が理想的な形状（体積比が１：１）の場合である。なお、ウェハ１０の反射像の明暗は、ショット領域ごとに現れる。
【００３８】
画像処理部５０は、撮像素子４７から出力される画像信号に基づいて、ウェハ１０の反射画像を取り込む。なお、画像処理装置５０は、比較のため、良品ウェハの反射画像を予め記憶している。良品ウェハとは、繰り返しパターン１２が理想的な形状（体積比が１：１）で表面全体に形成されたものである。良品ウェハの反射画像の輝度情報は、最も高い輝度値を示すと考えられる。
【００３９】
したがって、画像処理部５０は、被検基板であるウェハ１０の反射画像を取り込むと、その輝度情報を良品ウェハの反射画像の輝度情報と比較する。そして、ウェハ１０の反射画像における暗い箇所の輝度値の低下量（∝図８の低下量Δ）に基づいて、繰り返しパターン１２の欠陥（ライン部２Ａとスペース部２Ｂとの体積比の変化）を検出する。例えば、輝度値の変化量が予め定められた閾値（許容値）より大きければ「欠陥」と判定し、閾値より小さければ「正常」と判断すればよい。そして、画像処理部５０による輝度情報の比較結果およびそのときのウェハ１０の反射画像がモニタ５５で出力表示される。
【００４０】
なお、画像処理部５０においては、上述のように、良品ウェハの反射画像を予め記憶しておく構成の他、ウェハ１０のショット領域の配列データと輝度値の閾値を予め記憶しておく構成でもよい。この場合、ショット領域の配列データに基づいて、取り込まれたウェハ１０の反射画像中における各ショット領域の位置が分かるので、各ショット領域の輝度値を求める。そして、その輝度値と記憶されている閾値とを比較することにより、パターンの欠陥を検出する。閾値より輝度値の変化が小さいショット領域を「欠陥」と判断すればよい。
【００４１】
このような構成の表面検査装置１によれば、直線偏光Ｌ１を用いて、図６の振動面の方向（Ｖ方向）が繰り返しパターン１２の繰り返し方向（Ｘ方向）に対して傾いた状態で、繰り返しパターン１２を照明するとともに、正反射方向に発生した楕円偏光Ｌ２のうち、直線偏光成分Ｌ４の光強度（図５（ｃ）の偏光成分Ｌ３の大きさ）に基づいて、繰り返しパターン１２の欠陥を検出することで、照明波長と比較して繰り返しパターン１２のピッチＰが十分小さくても、確実に欠陥検査を行うことができる。
【００４２】
ところで、本実施形態においては、第１の偏光板３３と第１の凹面反射鏡３９との間に第１の偏光補正部材３５が配設されるとともに、第２の凹面反射鏡４１と第２の偏光板４５との間に第２の偏光補正部材４２が配設されている。そこでまず、偏光補正部材を有さない場合に、凹面反射鏡に入射し、反射した光束の偏光状態について説明する。
【００４３】
図１を用いると、ライトガイドファイバ３２の開口数に応じて発散された照明光は、上述のように第１の偏光板３３で所定の直線偏光に変換され、発散光束の主光線ＡＸ１は第１の凹面反射鏡３９の光軸Ｏ３９に対してずれた部位に入射する所謂軸外しの光学系となっている。
【００４４】
ここで、説明のため、第１の凹面反射鏡３９に関して、凹面反射鏡３９に入射する直線偏光Ｌ１の主光線ＡＸ１と、主光線ＡＸ１が入射する凹面反射鏡３９の部位の垂線とを含む平面を、凹面反射鏡３９に入射する直線偏光Ｌ１の基準入射面Ａ４と定義する。また、前記基準入射面Ａ４のうち、前記主光線ＡＸ１と平行で前記凹面反射鏡３９と垂直に交わる軸をこの凹面反射鏡３９の光軸Ｏ３９と定義する。
【００４５】
前述のように、第１の凹面反射鏡３９に入射する光束は、発散光束である。このためフレネルの反射の式に従って、偏光のｐ成分とｓ成分との間に透過率の差が発生し、その結果偏光面の回転が発生する。また、凹面反射鏡３９を軸外で用いる場合、幾何光学的な光線のねじれが発生し、偏光の振動面の回転が発生する。
【００４６】
以下偏光面の回転の挙動について説明する。基準入射面Ａ４に対して平行な振動面（ｐ偏光）を有する直線偏光の発散光束が第１の凹面反射鏡３９に入射される場合を考える。図９にこの様子を示す。図１においては、光源３１からの光は第１の凹面反射鏡３９の有効径にのみ入射するが、図９は、第１の凹面反射鏡３９を、前記光軸Ｏ３９を中心とする凹面反射鏡３９の有効径を含む円（破線）として表し、入射光束の径もこの円全体を照明するように拡大して記載している。このとき、第１の凹面反射鏡３９の面のうち、前記基準入射面Ａ４と交わる部位と、光軸Ｏ３９を含み前記基準入射面Ａ４に対して垂直な面と交わる部位とにおいては、偏光面の回転は起こらないが、第１の凹面反射鏡３９の他の部位では回転が起こる。図９（ａ）に示すように、第１の凹面反射鏡３９の面内のうち、基準入射面Ａ４を挟んで線対称に偏光の振動面は回転する。また、偏光の振動面の回転は、第１の凹面反射鏡３９のうち、光軸Ｏ３９を含み、基準入射面Ａ４に対して垂直な面をはさんでも線対称に発生する。この偏光の回転量は凹面反射鏡３９の光軸Ｏ３９から離れた部位ほど大きい。これは、凹面反射鏡３９の光軸Ｏ３９から離れた部位ほど、すなわち、垂直入射から離れた部位ほど入射光線の入射角が大きくなるためである。
【００４７】
ここで、第１の凹面反射鏡３９の光軸Ｏ３９からずれた位置から発散光束が入射すると（図９（ａ）の実線で囲んだ領域が第１の凹面反射鏡３９の光束入射領域に対応）、第１の凹面反射鏡３９に入射する光束の最も左側の光は最も入射角度が小さく、最も右側の光は最も入射角度が大きくなる（なお、入射角度は、入射光と凹面反射鏡面の法線とのなす角度である）。
【００４８】
このように凹面反射鏡３９に対する光の入射角度が面内で異なるため、面内で偏光面の回転にわずかの差が生じ、例えば、後段にクロスニコルで偏光板を配置したときに消光比のムラが発生する。そのため、ウェハ１０表面上の各点で検査感度のムラが生じてしまう。
【００４９】
なお、凹面反射鏡に方位角αｉの直線偏光が入射した時の反射光の偏光の方位角αｒは、次の（１）式で表される。
【００５０】
ｔａｎαｒ＝ｒｓ／ｒｐ×ｅｘｐ（ｉ×（Δｓ−Δｐ））×ｔａｎαｉ
＝ｒｓ／ｒｐ×ｅｘｐ（ｉ×Δ）×ｔａｎαｉ            …（１）
【００５１】
ｒｐ、ｒｓはそれぞれ、光の進行方向に垂直な面内で互いに直角の方向に振動する２つの成分（以下、ｐ成分、ｓ成分と記載する）の各々の振幅反射率、Δｐ、Δｓはｐ成分、ｓ成分それぞれの反射に起因する位相差で、反射面の複素屈折率と入射角度で決される値である（ボルン・ウォルフ光学の原理III金属光学の章等参照）。この（１）式から、凹面反射鏡に対する入射角度が変化すると、位相差Δおよび振幅反射率ｒｐ，ｒｓが変化するため、凹面反射鏡に方位角αｉの直線偏光が入射した時の反射光の偏光の方位角αｒは、入射角度に応じて変化することがわかる。
【００５２】
一方、ウェハ２０で反射した楕円偏光Ｌ２の平行光束は、第２の凹面反射鏡４１のうち光軸Ｏ４１から外れた部位に入射して収束作用を受けるので、受光系４０も、所謂軸外しの光学系となっている。そのため、第２の凹面反射鏡４１において、第１の凹面反射鏡３９の場合と同様に偏光の振動面が回転する。
【００５３】
これは、第２の凹面反射鏡４１に関して、第１の凹面反射鏡３９の場合と同様に、凹面反射鏡４１から射出される収束光束の主光線ＡＸ２や、凹面反射鏡４１の光軸Ｏ４１を定義すると、凹面反射鏡４１から射出される収束光束が、凹面反射鏡４１の光軸Ｏ４１からずれた位置より射出されるため、当該収束光束の最も右側の光は最も射出角度が小さく、最も左側の光は最も射出角度が大きくなるからである（なお、射出角度は、射出光と凹面反射鏡面の法線とのなす角度である）。このように凹面反射鏡４１からの光の射出角度が面内で異なるため、面内で偏光面の回転にわずかの差が生じ、例えばクロスニコル配置の場合に、消光比のムラが発生する。そのため、ウェハ１０表面上の各点で検査感度のムラが生じてしまう。
【００５４】
このような偏光の乱れを解消するために、例えば特開２００６−３４３１０２号公報において、図１０に示すように、第１の偏光板３３と第１の凹面反射鏡３９との間に第１の偏光補正板５５を配置するとともに、第２の凹面反射鏡４１と第２の偏光板４５との間に第２の偏光補正板５６を配置する構成が開示されている。以下、ガラスの平行平面板である偏光補償板５５，５６により偏光の乱れを補正する原理について説明する。偏光補償板に方位角α´ｉで入射した光束の透過光の偏光の方位角ｔａｎαｉは、次の（２）式で表される。
【００５５】
ｔａｎαｉ＝ｔｓ／ｔｐ×ｅｘｐ（ｉ×（Δｓ−Δｐ））×ｔａｎα´ｉ
＝ｔｓ／ｔｐ×ｅｘｐ（ｉ×Δ）×ｔａｎα´ｉ            …（２）
【００５６】
ここで、ｔｓ、ｔｐはｓ成分、ｐ成分それぞれの透過面での振幅透過率、Δｐ、Δｓはｓ成分、ｐ成分それぞれの成分の透過に起因する位相差である。また、ｔｓ、ｔｓ、Δｐ、Δｓはガラスの屈折率と入射角の関数となる。
【００５７】
（２）式より、偏光補正板を透過した光の偏光の方位角は、入射角に応じて変化することがわかる。そのため、偏光補正板を光軸に対し傾斜させて配置してやれば、凹面反射鏡で発生する偏光の方位角の乱れを補正することが可能になる。つまり、ｓ成分、ｐ成分のフレネル反射率が異なることを上手く利用した補正方法であることがわかる。なお、第１の偏光補正板５５により生じた偏光の回転の様子を図９（ｂ）に示す。
【００５８】
ｓ成分、ｐ成分のフレネル反射率の差を大きくするためには、偏光補正板の屈折率が高い方が好ましい。しかしながら、照明光の波長（使用波長）を３５０ｎｍ以下にしたいとき、屈折率の高いガラス材料では、初期透過率が悪い場合や、透過率の経時劣化が起こる場合があるため、石英ガラスや蛍石等の紫外線に対して十分な透過率と耐久性を有する材料に限られる。ところが、石英ガラスや蛍石では屈折率が低いために、ｓ成分、ｐ成分のフレネル反射率の差が小さく、１枚の平行平面板では十分な補正ができないという問題があった。
【００５９】
これに対し、本実施形態においては、図１に示すように、二枚の平行平面板３６，３７からなる第１の偏光補正部材３５が第１の偏光板３３と第１の凹面反射鏡３９との間に配設されるとともに、二枚の平行平面板４３，４４からなる第２の偏光補正部材４２が第２の凹面反射鏡４１と第２の偏光板４５との間に配設されている。
【００６０】
第１の偏光補正部材３５を構成する二枚の平行平面板３６，３７は、石英ガラスを用いて形成され、ライトガイドファイバ３２と第１の凹面反射鏡３９との間の光軸に対し傾斜した状態で互いに平行に配置される。また、第２の偏光補正部材４２を構成する二枚の平行平面板４３，４４も、石英ガラスを用いて形成され、第２の凹面反射鏡４１と撮像素子４７との間の光軸に対し傾斜した状態で互いに平行に配置される。なお、石英ガラスの屈折率は、使用波長が３１３ｎｍのとき１．４８であり、２４８ｎｍのとき１．５１であり、１９３ｎｍのとき１．５６である。
【００６１】
このように、二枚の平行平面板を平行に重ねて配置することにより、二枚分の補正の効果を得られるので、繰り返しパターンの構造性複屈折を利用した表面検査において、短波長域でも偏光の乱れを十分に補正することが可能になる。ただし、二枚の平行平面板を平行に重ねる際、互いに密着してオプティカルコンタクトの状態になると、そこでのフレネル反射が起きなくなってしまう。また、二枚の平行平面板の間隔が可干渉距離以下の間隔、すなわち、光の波長をλ、波長半値幅をΔλとしたときに、λ2／Δλ以下の間隔になると、そこで干渉縞が発生しウェハ１０上の照度分布を乱してしまう懸念がある。従って、二枚の平行平面板は光の干渉が生じてしまう可干渉距離以上の距離だけ離す必要がある。
【００６２】
さらに、高屈折率ガラスは例えば、ヤケが生じ易く、取扱いに注意しなければならないが、石英ガラスは他のガラスと比べて耐久性にも優れているため、部品管理も比較的容易である。
【００６３】
なお、上述の実施形態において、各平行平面板の傾斜角度と傾斜方向とを任意に設定可能な調整機構（図示せず）を設けることが望ましい。このようにすれば、例えば装置の調整状態等、装置の状況に合わせた微調整が可能になる。
【００６４】
また、上述の実施形態において、二枚の平行平面板を用いているが、これに限られるものではなく、三枚以上の複数枚の平行平面板を用いるようにしてもよい。
【００６５】
また、上述の実施形態において、各平行平面板の材料は、同一の材料に限られるものではなく、例えば、石英ガラスと蛍石を組み合わせて用いるようにしてもよい。
【００６６】
また、上述の実施形態において、平行平面板の材料として石英ガラスを用いているが、これに限られるものではなく、前述のように蛍石を用いてもよく、紫外線に対して十分な透過率と耐久性を有する材料であればよい。そのため、例えば、フッ化マグネシウムや水晶等の複屈折材料であっても構わない。ただし、複屈折材料を用いる場合には、その複屈折性が入射偏光に影響を与えないよう、結晶軸の方向を入射偏光に平行あるいは直交させる等して、入射偏光が結晶に対して固有偏光となるよう注意を払う必要がある。
【００６７】
また、上述の実施形態において、第２の凹面反射鏡４１を用いずに、集光レンズ等の組み合わせのみで直線偏光成分Ｌ４によるウェハ１０の反射像を結像する場合、第２の偏光補正部材４２を設けずに、第１の偏光補正部材３５のみを用いるようにしてもよい。一方、第１の凹面反射鏡３９を用いずに、集光レンズ等の組み合わせのみで直線偏光Ｌ１をウェハ１０の表面に導く場合、第１の偏光補正部材３５を設けずに、第２の偏光補正部材４２のみを用いるようにしてもよい。
【図面の簡単な説明】
【００６８】
【図１】本発明に係る表面検査装置の全体構成を示す図である。
【図２】半導体ウェハの表面の外観図である。
【図３】繰り返しパターンの凹凸構造を説明する斜視図である。
【図４】直線偏光の入射面と繰り返しパターンの繰り返し方向との傾き状態を説明する図である。
【図５】直線偏光と楕円偏光の振動方向を説明する図である。
【図６】直線偏光の振動面の方向と繰り返しパターンの繰り返し方向との傾き状態を説明する図である。
【図７】直線偏光の振動面の方向が繰り返し方向に平行な偏光成分と垂直な偏光成分とに分かれる様子を説明する図である。
【図８】偏光成分の大きさと繰り返しパターンのライン部の線幅との関係の一例を説明する図である。
【図９】（ａ）は凹面反射鏡における偏光の回転の様子を示す図であり、（ｂ）は偏光補正板における偏光の回転の様子を示す図である。
【図１０】表面検査装置の従来例を示す図である。
【符号の説明】
【００６９】
１  表面検査装置
１０  ウェハ（被検基板）                １２  繰り返しパターン
３０  照明系
３１  光源（照明部）                    ３２  ライトガイドファイバ（照明部）
３３  第１の偏光板（照明部）
３５  第１の偏光補正部材
３６  平行平面板                        ３７  平行平面板
３９  第１の凹面反射鏡（第１の光学部材）
４０  受光系
４１  第２の凹面反射鏡（第２の光学部材）
４２  第２の偏光補正部材
４３  平行平面板                        ４４  平行平面板
４５  第２の偏光板（受光部）            ４７  撮像素子（受光部）
Ｌ１の直線偏光                          Ｌ２  楕円偏光
Ｌ３  偏光成分                          Ｌ４  直線偏光成分
【図１】
2009097988.tif 000003
【図２】
2009097988.tif 000004
【図３】
2009097988.tif 000005
【図４】
2009097988.tif 000006
【図５】
2009097988.tif 000007
【図６】
2009097988.tif 000008
【図７】
2009097988.tif 000009
【図８】
2009097988.tif 000010
【図９】
2009097988.tif 000011
【図１０】
2009097988.tif 000012